(57)【要約】【課題】  外枠に対して前面枠又は内枠の開放を検知する検知スイッチをヒンジ側から離間して配置した場合にも、コスト増加や前面枠の内部構造の設計の自由度を阻害することなく、簡単でかつ安定的に組み付けが行える遊技機を提供する。【解決手段】外枠２と内枠３と前面枠４とを備える遊技機１であって、前面枠４には、ヒンジ５側の一側部から離間して、外枠２に対しての前面枠４又は内枠３の開閉状態を検知する検知スイッチ３０が設けられており、その検知スイッチ３０が、発光部２２を実装した配線基板２１に接続されていることを特徴とする。【選択図】  図２
2009207517.tif 000002
【特許請求の範囲】
【請求項１】
遊技機の外形をなす枠状の外枠と、その外枠の一側部側に配置されたヒンジを介して開閉可能な内枠と、その内枠の前面側で前記ヒンジ側の一側部近傍に設けた軸支部において開閉可能な前面枠とを備える遊技機であって、
前記前面枠には、前記軸支部側から離間して、前記外枠に対しての前記前面枠又は内枠の開閉状態を検知する検知スイッチが設けられており、
その検知スイッチが、発光部を実装した配線基板に接続されていることを特徴とする遊技機。
【請求項２】
前記検知スイッチは、前記配線基板に実装されている請求項１に記載の遊技機。
【請求項３】
前記検知スイッチは、前記配線基板に形成された配線パターンと、その配線基板の前記前面枠における前記軸支部側の一側部近傍に実装されたコネクタ部に連結される配線とを介して前記内枠に設けられる制御部に接続されている請求項１又は２に記載の遊技機。
【発明の詳細な説明】
【技術分野】
【０００１】
本発明は、遊技機に関する。
【背景技術】
【０００２】
【特許文献１】特許第３８４９４１４号公報
【０００３】
特許文献１に記載の技術は、基体（外枠）に対して開閉自在に装着される前面体（内枠）及び扉体（前面枠）が無用に開放されるのを検知する検知スイッチを備えた遊技機について記載されている。具体的には、前面体及び扉体の開放を検知するためにそれぞれ別々に設けられていた検知スイッチを共有化し、コストやスペースの低減化を図ったものである。
【０００４】
ところで、このような検知スイッチは、所定の基体に対して片側に配置されたヒンジを介して片開き状に開閉される開閉体の開放（開閉）を検知する場合に、その開閉体の開放をすぐさま検知するために、回動角度に対する移動距離が長くなる開放側に近い位置（ヒンジ側（回動中心）から離間した位置）に配置される。
【発明の開示】
【発明が解決しようとする課題】
【０００５】
しかしながら、電子部品である検知スイッチを制御するためには、開閉体の回動の影響が少ないヒンジ側から配線で接続しなければならず、ヒンジ側から離間すればするほど（開放側に接近すればするほど）、配線自体が長くなってコスト増加の原因となり、さらには、その配線の固定部や収容スペースが必要となって開閉体（前面枠）の内部構造等の設計の自由度を阻害したり、組み付け性が悪くなるというジレンマがある。
【０００６】
そして、検知スイッチを開閉体の開放側に配置することは、その開閉体の開放をすぐさま検知できる反面、仮に開閉体が勢いよく閉じられると、基体との衝突によりヒンジ側に比して衝撃が強くなるので、組み付け時における位置決めや固定状態に係る安定性がより強く求められることとなる。したがって、従来において、検知スイッチは基体又は開閉体に対して直接的に単独で設けられている。
【０００７】
本発明の課題は、上記実情に鑑みてなされたものであり、外枠に対しての前面枠又は内枠の開放を検知する検知スイッチをヒンジ側から離間して配置した場合にも、コスト増加や前面枠の内部構造の設計の自由度を阻害することなく、簡単でかつ安定的に組み付けが行える遊技機を提供することにある。
【課題を解決するための手段】
【０００８】
上記課題を解決するために、本発明の遊技機は、
遊技機の外形をなす枠状の外枠と、その外枠の一側部側に配置されたヒンジを介して開閉可能な内枠と、その内枠の前面側でヒンジ側の一側部近傍に設けた軸支部において開閉可能な前面枠とを備える遊技機であって、
前面枠には、軸支部側から離間して、外枠に対しての前面枠又は内枠の開閉状態を検知する検知スイッチが設けられており、
その検知スイッチが、発光部を実装した配線基板に接続されていることを特徴とする。
【０００９】
上記本発明によれば、前面枠に設けられた検知スイッチが発光部を実装した配線基板に接続されるので、その検知スイッチの配線が配線基板によって代替（共有）されて短縮或いは省略することが可能となり、コスト低減を図ることができる。また、配線が配線基板によって代替されるので、柔軟性を有する配線を固定する固定部や収容スペースなどを特別設ける必要がなくなり、前面枠の内部構造の設計の自由度を阻害せず、例えば、検知スイッチを軸支部側（ヒンジ側）から離間して配置したときでも、簡単でかつ安定的に組み付けることができる。ひいては、外枠に対しての前面枠又は内枠の開閉状態を検知する検知スイッチが軸支部側（ヒンジ側）から離間して配置されるので、その前面枠又は内枠の開放をすぐさま検知することができる。
【００１０】
なお、外枠に対しての前面枠又は内枠の開放（開閉）とは、前面枠が単独で外枠に対して開閉される場合や、前面枠が内枠とともに或いは別々で外枠に対して開閉される場合などが含まれる。また、前面枠が内枠の前面側で軸支部において開閉可能とは、内枠に対して軸支部が軸支される場合や、外枠のヒンジにおいて内枠とともに軸支される場合などが含まれる。
【００１１】
ここで、配線基板に実装される発光部は、発光ダイオードなどが用いられ、例えば、遊技者側となる前面側に向けて発光するように設けられ、前面枠又は内枠の開閉状態における検知スイッチの検知結果により発光態様（点灯、消灯及び点滅など）を変化する発光部として構成することができる。その場合には、前面枠又は内枠の開閉状態を検知する検知スイッチと、その開閉状態を報知する発光部とが同一の配線基板に実装されることになるので、その開閉状態を遊技場などの提供者或いは遊技者などに報知することによって、トラブルや不正に対する迅速な対応が可能となる。すなわち、配線基板が、検知スイッチと発光部とを備えることにより、一つのユニットとして不正防止という機能を備えることができる。
【００１２】
なお、発光部は、遊技機の初期化時、払出路の球切れ時、払出しエラー時、賞球の払出し超過時、球受け皿上の球が満タン時、不正入賞の検出時、不正な磁石検出時など、様々な状態に対応して発光する発光部として構成してもよい。また、発光部の報知とともに、遊技機が備える警報手段や音声表示手段を作動させる構成としてもよい。
【００１３】
また、検知スイッチを配線基板に直接実装する構成とすることができる。これによれば、検知スイッチが配線基板に直接実装されているので、配線基板を前面枠に取り付けるだけで、検知スイッチを所定場所に画一的に組み付けることができる。すなわち、外枠又は内枠に形成された被検知部などに対して、位置ずれなどの問題が発生する心配がなくなる。
【００１４】
また、検知スイッチは、配線基板に形成された配線パターンと、その配線基板の前面枠における軸支部側の一側部近傍に実装されたコネクタ部に連結される配線とを介して内枠に設けられる制御部に接続される構成とすることができる。これによれば、前面枠における軸支部側（ヒンジ側）の一側部近傍まで形成される配線基板に検知スイッチが実装されるので、前面枠において柔軟性を有する配線がなくなり、前面枠の内部構造を自由度高く設計することができる。また、前面枠における軸支部側（ヒンジ側）の一側部近傍にコネクタ部が実装され、そのコネクタ部に配線が連結されるので、検知スイッチが前面枠などの回動の影響を受けなくなり、安定的に配置することができる。なお、内枠のヒンジ側の一側部近傍に制御部に接続する中継基板を設けて、コネクタ部に連結される配線をその中継基板に接続することで検知スイッチを制御部に接続する形態としてもよい。
【発明の効果】
【００１５】
外枠に対して前面枠及び内枠の開放を検知する検知スイッチを軸支部側（ヒンジ側）から離間して配置した場合にも、コスト増加や前面枠の内部構造の設計の自由度を阻害することなく、簡単でかつ安定的に組み付けが行える遊技機を提供することができる。
【発明を実施するための最良の形態】
【００１６】
以下、本発明に係る実施形態を図面を用いて説明する。図１は本発明の実施形態に係る遊技機の正面図、図２は図１の遊技機を一部破断して後ろから見た斜視図、図３は内部機構を省略した図１のＡ−Ａ断面及び要部拡大図、図４は図１の縦断面の一部を概略的に示す説明図、図５は本発明の実施形態に係る遊技機を概念的に示すブロック図、図６は検知スイッチの作動説明図である。
【００１７】
図１及び図２に示すように、パチンコ機（遊技機）１は、そのパチンコ機１の外形をなし、上下の横枠２ａ，２ｂ及び左右の縦枠２ｃ，２ｄからなる枠状の外枠２と、その外枠２の遊技者側（正面）から見て左側の縦枠２ｃ側に配置されたヒンジ５を介して回動軸線Ｏ１中心で片開き状に開閉可能な内枠３と、その内枠３の前面側でヒンジ５の軸支部５ａ（回動軸線Ｏ１周り）において開閉可能な前面枠４と、ヒンジ５（軸支部５ａ）とは反対側の開放側に設けられ、外枠２に対して内枠３及び前面枠４の開閉状態を検出する枠開閉検出機構６を備えている。なお、内枠３の開放側（外枠２の縦枠２ｄ側）には、図示しない施錠装置が設けられており、その施錠装置が外枠２及び前面枠４にそれぞれ独立して係合することにより、外枠２に対して内枠３、並びに内枠３に対して前面枠４が開錠可能に施錠される。
【００１８】
内枠３には、図１に示すように、遊技盤１０が支持されている。この遊技盤１０の前面（盤面）１０ａには、ガイドレール１０ｂのうちの内側のガイドレール１０ｂによって区画された遊技領域１０ｃが形成されている。そして、この遊技領域１０ｃの中央には液晶画面等を含む可変表示装置１１が配置されており、その下方には回動翼片１２ａを有する始動入賞装置１２や入賞扉１３ａを有する大入賞装置１３が配置されている。また、大入賞装置１３の下方にはアウト口１４が配置され、可変表示装置１１の左右には風車１５や通過ゲート１６、サイドランプ１７が設けられている。なお、遊技盤１０の下方には、貸球や賞球を貯留する球受け皿１８（上皿１８ａ，下皿１８ｂ）や、図示しない発射装置を作動させてガイドレール１０ｂを通り遊技領域１０ｃへ遊技球を発射するための発射ハンドル１９が配置されている。なお、発射される遊技球は、球受け皿１８における上皿１８ａから図示しない発射装置へ誘導される。また、発射ハンドル１９の上方には、前述した施錠装置のシリンダ錠Ｓが露出するように形成されている。そして、前面枠４の上部には、枠開閉検出機構６により検出された内枠３及び前面枠４の開閉状態を発光により報知する報知ランプ２０が配置されている。
【００１９】
また、内枠３の裏面側には、具体的には図示しないが賞球を貯留する貯留タンクやタンクレール、球払出装置並びに制御部４０としての主基板（パチンコ機１の主制御基板４１、電源基板４２（副基板）、球払出装置の払出制御基板４３）や、周辺基板（可変表示装置１１の図柄制御基板４４、ランプ制御基板４５、音声制御基板４６など）、遊技機端子板などを備える構造体３ａが支持されている（図２，図５参照）。
【００２０】
次に、枠開閉検出機構６について詳しく説明する。本実施形態に係る枠開閉検出機構６は、図２ないし図４に示すように、パチンコ機１においてヒンジ５とは反対の開放側の上部に設けられている。すなわち、枠開閉検出機構６は、前面枠４に、ヒンジ５側の一側部から離間して、外枠２又は内枠３に形成された被検知部を検知することにより、外枠２に対しての前面枠４及び内枠３の開閉状態を検知する検知スイッチが設けられており、その検知スイッチが、前面枠４の遊技者側となる前面側に向けて発光する発光部２２を実装した配線基板２１に接続されている。
【００２１】
具体的には、枠開閉検出機構６は、前面枠４に設けられる検知スイッチとしてのフォトセンサ３０と、内枠３に設けられる被検知部としてのシャフト３１と、外枠２に設けられ、シャフト３１を受け止めるシャフト受け具３２と、そのシャフト３１をシャフト受け具３２（外枠２）に向けて付勢するコイルばね３３（付勢部材）とを含み構成されている。
【００２２】
フォトセンサ３０は、発光部３０ａと受光部３０ｂとを向かい合わせで配置しており、その発光部３０ａから受光部３０ｂへの光ビームが遮られることで、被検出部としてシャフト３１を検知するものである。また、フォトセンサ３０は、本実施形態においては配線基板２１に直接実装されている。
【００２３】
このように、非接触式のフォトセンサ３０を使用することにより、フォトセンサ３０とシャフト３１とが接触しないので、例えば前面枠４の開閉が頻繁に行われても、破損する恐れがない。また、シャフト３１のヘッド部３１ａの形状を板状など適時変更して、シャフト３１（ヘッド部３１ａ）と、発光部３０ａ及び受光部３０ｂとの隙間（距離）を調整することにより、より確実にシャフト３１との接触（干渉）を回避することが可能となり、組み付け時における位置決めや固定状態に係る安定性の向上を図ることができる。
【００２４】
シャフト３１は、軸状形態をなし、一方の端部に軸部よりも大径のヘッド部３１ａと、もう一方の端部に外側に張り出すフランジ部３１ｂが形成されている。そして、内枠３には、フォトセンサ３０に対応してシャフト３１の軸部を摺動可能に支持するために、前面側にボス状に突出するとともにその内側で厚み方向に貫通する貫通孔３４が形成されている。そして、シャフト３１は、コイルばね３３を軸部に装着するとともに、該貫通孔３４に挿し込まれて配置されている。これにより、シャフト３１は、フランジ部３１ｂを介してコイルばね３３に付勢されることとなる。
【００２５】
シャフト受け具３２は、シャフト３１のフランジ部３１ｂに対応して例えば外枠２の上側の横枠部２ａの内側に起立するように固定配置されている。
【００２６】
配線基板２１は、前面枠４のヒンジ５側から反対の開放側にわたって形成され、例えば遊技盤１０と平行状に配置されている。また、配線基板２１は、遊技者側となる前面側に発光部２２を実装する一方、後面側に、前面枠４の開放側端部近傍にフォトセンサ３０を実装し、ヒンジ５側端部近傍にコネクタ部２３を実装している。すなわち、検知スイッチとしてのフォトセンサ３０は、配線基板２１に形成された配線パターンと、その配線基板２１の前面枠４のヒンジ５（軸支部５ａ）側の一側部近傍に実装されたコネクタ部２３に連結される配線２４とを介して内枠３に設けられる制御部４０（例えば、払出制御基板４３）に接続されている。なお、フォトセンサ３０は、配線などで配線基板２１に接続する構成としてもよく、その場合には配線基板２１が中継基板として機能する。
【００２７】
次に、図５に示すように、内枠３及び前面枠４の開閉状態を検知するフォトセンサ３０は、通常、主基板としての払出制御基板４３に接続されており、また、報知ランプ２０として発光する発光部２２も同様に払出制御基板４３に接続されている。なお、フォトセンサ３０は、主基板としての主制御基板４１に接続してもよい。ここで、主基板とは、遊技の結果に影響を及ぼし、又は及ぼすおそれがある機能を有する基板（主制御基板４１，電源基板４２，払出制御基板４３）で、配線を相互に接続するための電子部品のみが装着されたもの以外のものをいい、そのうち、主制御基板４１は、主に内部抽選を行い、入賞や特賞に係わる制御を行う基板をいう。
【００２８】
なお、機能の分離化の観点から鑑みると、主基板として不正防止関連に関する制御を司る不正防止制御基板を新たに設けて、該不正防止基板にフォトセンサ３０（検知スイッチ）及び報知用の発光部２２が接続される配線基板２１を一括して接続するようにしてもよい。なお、発光部２２を周辺基板としてのランプ制御基板４５に接続して、主制御基板４１からの制御指令に基づいて発光させてもよい。また、仮に、発光部２２を、装飾用の発光部として使用可能な場合には前面枠４の全体にわたって、装飾を施すことができるので、遊技機の興趣が向上するとともにフォトセンサ３０（検出スイッチ）の配置の自由度が増すことはいうまでもない。
【００２９】
次に、枠開閉検出機構６の作動について説明する。図６（ａ）は外枠２に対して内枠３及び前面枠４が閉じた状態のときの枠開閉検出機構６の位置関係を示す図、図６（ｂ）は外枠２に対して内枠３だけが閉じた状態（前面枠４だけが開放された状態）のときの枠開閉検出機構６の位置関係を示す図、図６（ｃ）は外枠２に対して内枠３及び前面枠４が開放された状態のときの枠開閉検出機構６の位置関係を示す図である。
【００３０】
図６（ａ）に示すように、枠開閉検出機構６は、外枠２に対して内枠３及び前面枠４が閉じた状態のときには、シャフト３１がコイルばね３３の付勢力に抗してシャフト受け具３２によって相対的に前方に付勢されている。このとき、シャフト３１のヘッド部３１ａが、フォトセンサ３０の発光部３０ａ及び受光部３０ｂの間に入り込んでその発光部３０ａからの光ビームが遮られることで、制御部４０により閉状態が検出される（図３，図５参照）。
【００３１】
また、図６（ｂ）に示すように、枠開閉検出機構６は、外枠２に対して前面枠４だけが開放した状態のときには、前面枠４が開放されてフォトセンサ３０がシャフト３１のヘッド部３１ａから離間するため、フォトセンサ３０において発光部３０ａからの光ビームを受光部３０ｂが受光することで、制御部４０により開状態が検出される（図３，図５参照）。これにより、制御部４０が、フォトセンサ３０から送信された信号に基づき発光部２２の発光態様を変化させることとなる。なお、このとき内枠３は、外枠に対して閉じた状態であるので、図６（ａ）と同様にシャフト３１がコイルばね３３の付勢力に抗してシャフト受け具３２によって相対的に前方に付勢されている。
【００３２】
また、図６（ｃ）に示すように、枠開閉検出機構６は、外枠２に対して内枠３及び前面枠４が開放された状態のときには、内枠３が開放されてシャフト３１がコイルばね３３の付勢力により後方に押し出され、シャフト３１のヘッド部３１ａがフォトセンサ３０から離間するため、フォトセンサ３０において発光部３０ａからの光ビームを受光部３０ｂが受光することで、制御部４０により開状態が検出される（図３，図５参照）。これにより、制御部４０が、フォトセンサ３０から送信された信号に基づき発光部２２の発光態様を変化させることとなる。
【００３３】
そして、本発明では遊技機の一例としてパチンコ機について説明したが、他に例えばアレンジボール遊技機、雀球遊技機等の遊技機に適用することができる。
【００３４】
例えば、枠開閉検出機構６における検出スイッチとしてフォトセンサ３０を例にして説明したが、メカスイッチ等としてもよい。また、シャフト３１を外枠２に配置してもよく、その場合には、内枠３にそのシャフト３１を挿通する貫通孔を形成することで簡単に実現することができる。また、報知ランプとしての発光部２２は、配線基板２１においてフォトセンサ３０（検知スイッチ）と同じ面に実装してもよい。その場合には、前面枠４の後面側（内枠３側）で発光するため、前面枠４が開放された際に効果的に報知（発光）することができる。
【図面の簡単な説明】
【００３５】
【図１】本発明の実施形態に係る遊技機の正面図。
【図２】図１の遊技機を一部破断して後ろから見た斜視図。
【図３】内部機構を省略した図１のＡ−Ａ断面及び要部拡大図。
【図４】図２の縦断面の一部を概略的に示す説明図。
【図５】本発明の実施形態に係る遊技機を概念的に示すブロック図。
【図６】検知スイッチの作動説明図。
【符号の説明】
【００３６】
１  遊技機
２  外枠
３  内枠
４  前面枠
５  ヒンジ
５ａ  軸支部
６  枠開閉検出機構
１０  遊技盤
１０ａ  盤面
１０ｂ  ガイドレール
１０ｃ  遊技領域
１１  可変表示装置
１２  大入賞装置
１３  始動入賞装置
２０  報知ランプ
２１  配線基板
２２  発光部
２３  コネクタ部
２４  配線
３０  フォトセンサ（検知スイッチ）
３１  シャフト（被検知部）
３２  シャフト受け具
３３  コイルばね（付勢部材）
４０  制御部
Ｏ１  回動軸線
【図１】
2009207517.tif 000003
【図２】
2009207517.tif 000004
【図３】
2009207517.tif 000005
【図４】
2009207517.tif 000006
【図５】
2009207517.tif 000007
【図６】
2009207517.tif 000008